(57)【要約】【課題】本発明は、架空状態のバインドレスがいしの上方に積雪したり、家屋の屋根から落下した雪でバインドレスがいしが破損したりするのを防止するための対雪カバーを提供することを目的とする。【解決手段】バインドレスがいし用対雪カバー１は、稜線部１０と一対の曲面状部２０、２１とにより成り、下方に環状に開口していると共に、架線６０やがいし取付金具７０を挟んで架線６０、がいし取付金具７０に取り付けるために稜線部１０の長手方向の両端に配されたスリット３０、３１と、バインドレスがいし５０の貫通孔５５に挿通して係合することとで、バインドレスがいし５０に固定するために、稜線部１０から内側に延びた係合突部４０とを有している。【選択図】図３
2017034778.tif 000002
【特許請求の範囲】
【請求項１】
弧状の稜線部とこの稜線部から相互に離れる方向に傾斜しつつ延びた一対の曲面状部とにより成るカップ状のもので、バインドレスがいしを上方から覆うように下方に開口していると共に、
架線及び／又はがいし取付金具に取り付けるために前記稜線部の長手方向の両端に配された取付手段と、前記バインドレスがいしに固定するために前記稜線部の内側に配された固定手段とを有することを特徴とするバインドレスがいし用対雪カバー。
【請求項２】
前記取付手段として、前記架線及び／又は前記がいし取付金具を挟むことが可能なスリットが前記稜線部の長手方向の両端に形成されていることを特徴とする請求項１に記載のバインドレスがいし用対雪カバー。
【請求項３】
前記固定手段として、前記バインドレスがいしの貫通孔に挿通して係合する係合突部が前記稜線部の内側から突出していることを特徴とする請求項１又は請求項２に記載のバインドレスがいし用対雪カバー。
【発明の詳細な説明】
【技術分野】
【０００１】
本発明は、架空状態のバインドレスがいしに対し当該バインドレスがいしの上方から覆うように装着される落雪、積雪の双方の対策用のカバーに関する。
【背景技術】
【０００２】
屋内配線と電柱から延びる引込線とを接続する場合には、例えば特許文献１や特許文献２に示されるように、家屋の外面に取り付け引込用取付金具にバインドレスがいしを取り付け、このバインドレスがいしに引込線を所定の方法で巻き付けることで行っている。このため、バインドレスがいしは、前記特許文献１の図３、図５や前記特許文献２の図４に示されるように、家屋の屋根に近接した場所に配置されることとなる。
【０００３】
そして、バインドレスがいしは、特許文献２の図１、図５等に示されるように、その本体部分は略直方体状をなしている。
【０００４】
一方で、特許文献３の図１に示されるように、屋内配線と引込線とを接続するバインドレスがいし全体を防護カバーで覆う発明は既に公知になっている。
【先行技術文献】
【特許文献】
【０００５】
【特許文献１】特開２００７−１１６８４１号公報
【特許文献２】特開２０１１−９１９２８号公報
【特許文献３】特開２０１２−７５２３７号公報
【発明の概要】
【発明が解決しようとする課題】
【０００６】
もっとも、特許文献２に示されるように、屋外に配置されたバインドレス碍子の本体部分の形状が略直方体状をなしていると、バインドレスがいしの上面に積雪しやすくなる。
【０００７】
また、特許文献１及び特許文献２に示されるように、屋内配線と引込線とを接続するバインドレスがいしが家屋の屋根に近接した状態をそのままとしたのでは、屋根から落下した雪がバインドレスがいしに当たってバインドレスがいしが破損するおそれが考えられる。
【０００８】
この点、特許文献３に示される碍子用防護カバーは、バインドレスがいし全体を筒状部で覆うので、家屋の屋根から落下した雪がバインドレスがいしに直接当たるのを防止することは可能である。
【０００９】
しかしながら、特許文献３に示される碍子用防護カバーの筒状部の外形状は、略直方体状となっているため碍子用防護カバーの筒状部に積雪しやすいままである。また、特許文献３に示される碍子用防護カバーは、建造物についての作業時に一時的にバインドレスがいしを覆うためのものであり、常設されるものではない。更に、特許文献３に示される碍子用防護カバーは、スリットで引込線や固定部材を挟持することで取り付けられるが、外部からの力により、バインドレスがいしに対し引込線の軸方向にずれたり、外れたりするおそれが考えられる。
【００１０】
そこで、本発明は、屋外に配置しても上面に積雪せず、家屋の屋根より落下した雪からバインドレスがいしを保護することができ、しかも、バインドレスがいしが引込線の軸方向にずれたり外れたりもしないバインドレスがいし用対雪カバーを提供する。
【課題を解決するための手段】
【００１１】
本発明のバインドレスがいし用対雪カバーは、弧状の稜線部とこの稜線部から相互に離れる方向に傾斜しつつ延びた一対の曲面状部とにより成るカップ状のもので、バインドレスがいしを上方から覆うように下方に開口していると共に、架線及び／又はがいし取付金具に取り付けるために前記稜線部の長手方向の両端に配された取付手段と、前記バインドレスがいしに固定するために前記稜線部の内側に配された固定手段とを有することを特徴としている（請求項１）。ここで、架線は、例えば引込線等の電線である。また、バインドレスがいし用対雪カバーの外形状は、例えば内部が空洞の楕円球を略半球状に割った形状をなしている。
【００１２】
これにより、バインドレスがいしの全部をバインドレスがいし用対雪カバーで上方から覆うので、バインドレスがいしが家屋の屋根に近接した場所に配置されて、屋根から雪が落下しても、落下した雪がバインドレスがいしに当たるのを防止することが可能である。
【００１３】
また、バインドレスがいし用対雪カバーは、稜線部から傾斜した曲面状部を備えたカップ状となっており、上側に向けて尖っているため、バインドレスがいし用対雪カバーに雪が降ったり、屋根からバインドレスがいし用対雪カバーに落ちてきたりしても、曲面状部を滑り落ちるので、バインドレスがいし用対雪カバーに積雪するのを防止することができる。
【００１４】
本発明のバインドレスがいし用対雪カバーでは、前記取付手段として、前記架線及び／又は前記がいし取付金具を挟むことが可能なスリットが前記稜線部の長手方向の両端に形成されていることを特徴としている（請求項２）。
【００１５】
これにより、架線やがいし取付金具をバインドレスがいし用対雪カバーの長手方向の両端に配されたスリットで挟むことができるので、バインドレスがいし用対雪カバーについて、バインドレスがいしを覆うかたちで架線とがいし取付金具とに取り付けることが可能である。
【００１６】
また、本発明のバインドレスがいし用対雪カバーでは、前記固定手段として、前記バインドレスがいしの貫通孔に挿通して係合する係合突部が前記稜線部の内側から突出していることを特徴としている（請求項３）。バインドレスがいしの貫通孔は、例えばがいし取付金具を装着するために設けられた既存の貫通孔である。
【００１７】
これにより、バインドレスがいし用対雪カバーは、バインドレスがいし自体にも固定することができるので、バインドレスがいし用対雪カバーがバインドレスがいしに対し架線の軸方向にずれたりバインドレスがいしを覆った状態から外れたりするのを防止することが可能である。
【発明の効果】
【００１８】
以上のように、本発明に係るバインドレスがいし用対雪カバーによれば、バインドレスがいしの全部をバインドレスがいし用対雪カバーで覆うので、バインドレスがいしが家屋の屋根に近接した場所に配置されて、屋根から雪が落下しても、落下した雪がバインドレスがいしに当たるのを防止することができるので、バインドレスがいしが落雪で破損するのを防止することが可能である。
【００１９】
また、本発明に係るバインドレスがいし用対雪カバーは、稜線部と一対の曲面状部とにより成るカップ状となっており、上側に向けて尖っているため、バインドレスがいし用対雪カバーに雪が降ったり、家屋の屋根から積雪がバインドレスがいし用対雪カバーに落ちてきたりしても、曲面状部を滑り落ちることから、バインドレスがいし用対雪カバーに積雪するのを防ぐことができる。
【００２０】
特に請求項２に記載の発明に係るバインドレスがいし用対雪カバーによれば、架線やがいし取付金具をバインドレスがいし用対雪カバーの長手方向の両端に配されたスリットで挟むことができるので、バインドレスがいし用対雪カバーについて、バインドレスがいしを覆うかたちで架線とがいし取付金具とに取り付けることが可能である。
【００２１】
特に請求項３に記載の発明に係るバインドレスがいし用対雪カバーによれば、バインドレスがいし用対雪カバーを係合突部によりバインドレスがいし自体にも固定することができるので、バインドレスがいし用対雪カバーがバインドレスがいしに対し架線の軸方向にずれたりバインドレスがいしを覆った状態から外れたりするのを防止することが可能である。
【図面の簡単な説明】
【００２２】
【図１】図１は、本発明のバインドレスがいし用対雪カバーの構成を示す説明図であり、図１（ａ）は、バインドレスがいし用対雪カバーの正面図、図１（ｂ）は、バインドレスがいし用対雪カバーの側面図、図１（ｃ）は、バインドレスがいし用対雪カバーの底面図である。
【図２】図２は、同上のバインドレスがいし用対雪カバーでバインドレスがいしを覆った状態を示す説明図であり、図２（ａ）は、バインドレスがいし用対雪カバーでバインドレスがいしを覆った状態を側面から見た断面図、図２（ｂ）は、バインドレスがいし用対雪カバーでバインドレスがいしを覆った状態を示す底面図である。
【図３】図３は、同上のバインドレスがいし用対雪カバーでバインドレスがいしを覆った状態を示す斜視図である。
【図４】図４は、同上のバインドレスがいし用対雪カバーの突出部の構成を示す拡大図である。
【図５】図５は、家屋の屋根に近接して配置されたバインドレスがいしをバインドレスがいし用対雪カバーで覆った状態並びに家屋の屋根からの落雪への対応を示す概略図である。
【発明を実施するための形態】
【００２３】
以下、本発明のバインドレスがいし用対雪カバーの構成の一例について、図１から図５を参照しながら説明する。
【００２４】
図１に示されるバインドレスがいし用対雪カバー（以下、対雪カバー）１は、バインドレスがいし５０を保護する目的で家屋１００の屋外に配置されるものであり、プラスチック、その他の合成樹脂等の素材で形成されることで、軽量性、風雨等への耐候性も備えている。
【００２５】
バインドレスがいし５０自体は公知のものである。例えば図２や図３において一例として示されるバインドレスがいし５０は、架線６０が巻き付けられる複数の突起部５１、５２、５３、５４と、がいし取付金具７０が挿通される貫通孔５５とを有する構成となっている。また、前記架線６０は、例えば引込線等の架空状態の電線、特にその一方端側部分であり、その材質、構造は公知のものである。更に、前記がいし取付金具７０も、その材質、構造は公知のものである。
【００２６】
対雪カバー１は、１つの稜線部１０と、２つの曲面状部２０、２１とで基本的に構成されて、下方に開口したカップ状のものとなっている。ここで、稜線部１０は、例えば弓のように弧を描く弧状のものとなっている。また、曲面状部２０と曲面状部２１とは、対雪カバー１を正面から見た場合には、図１（ａ）に示されるように、稜線部１０から相互に離れる方向に傾斜しつつ延びた構成となっている。すなわち、対雪カバー１は、正面から見て、上方に尖った、若しくは弾丸に類似した外形状をなしている。
【００２７】
そして、曲面状部２０と曲面状部２１とは、対雪カバー１を上方若しくは下方から見た場合には、図１（ｃ）に示されるように、稜線部１０の長手方向の一方端では近接した位置から稜線部１０の長手方向の中央に向けて相互に離れる方向に曲がった後、稜線部１０の長手方向の中央から稜線部１０の長手方向の他方端に向けては相互に近接する方向に曲がった形状にもなっている。すなわち、対雪カバー１は、例えば内部に空洞を有する楕円球を半分に割った、若しくは、手漕ぎボート等に類似した外形状をなしており、平面的に見ると楕円形状となっている。
【００２８】
また、対雪カバー１の稜線部１０の長手方向の寸法は、バインドレスがいし５０の長手方向の寸法（全長）よりも大きくなっていると共に、対雪カバー１の中央部及びその近傍部位における曲面状部２０と曲面状部２１との間の短手方向の寸法は、バインドレスがいし５０の突起部５１乃至５４を含めた幅方向の寸法（全幅）よりも大きくなっている。
【００２９】
更に、対雪カバー１は、稜線部１０の長手方向の両端部位において、図１から図３（特に図１（ｃ））に示されるように、架線６０又はがいし取付金具７０を挟持するためのスリット３０、３１が形成されている。
【００３０】
スリット３０、３１は、一方端が稜線部１０の端に達して開放されていると共に稜線部１０の長手方向に沿って延びた、略逆Ｕ字状の形状となっている。
【００３１】
尚、スリット３０は、架線６０を挟むものとして図示されているが、がいし取付金具７０についても挟むことができるようにしても良く、スリット３１は、がいし取付金具７０を挟むものとして図示されているが、架線６０についても挟むことができるようにしても良い。これにより、下記のように係合突部４０を稜線部１０の長手方向の中央に配置することで、対雪カバー１がバインドレスがいし５０を覆うときの向きがいずれでの向きでも良くなる。
【００３２】
一方で、対雪カバー１は、稜線部１０の内面から延びる係合突部４０を有している。係合突部４０は、この実施例では、稜線部１０の長手方向の中央部位に配置されていると共に、円柱状の軸棒４１と略円錐状の先端部４２とで構成されている。但し、係合突部４０の配置は、バインドレスがいし５０の貫通孔５５に合致する位置であれば良い。
【００３３】
軸棒４１の外径寸法は、図４に示されるように、バインドレスがいし５０の貫通孔５５の幅方向の内寸法よりも小さくなっている。もっとも、軸棒４１の形状は、円柱状に限定されず、バインドレスがいし５０の貫通孔５５に対し円滑に挿通させることができれば、四角柱状等であっても良い。また、軸棒４１の長手方向の寸法は、図４に示されるように、バインドレスがいし５０の厚みよりも大きくなっている。
【００３４】
先端部４２の最大外径寸法は、バインドレスがいし５０の貫通孔５５の幅方向の内寸法よりも大きくなっている一方で、先端部４２の先端から軸棒４１の長手方向の中央部位まで達するスリット４３が形成されている。そして、スリット４３が閉じた場合には、先端部４２の最大外径寸法も、バインドレスがいし５０の貫通孔５５の幅方向の内寸法よりも小さくなるようになっている。先端部４２の形状も、その最大外径寸法が、バインドレスがいし５０の貫通孔５５の幅方向の内寸法よりも大きくなっている一方で、スリット４３が閉じた場合に、バインドレスがいし５０の貫通孔５５の幅方向の内寸法よりも小さくなれば、特に限定されない。スリット４３の延びる方向は、この実施例では、図１及び図２に示されるように、稜線部１０が延びる方向と同じ方向となっている。
【００３５】
次に、上記構成の対雪カバー１の使用例について、図１から図５を用いて以下に説明する。
【００３６】
架線６０が突起部５１乃至５４に適宜巻回されると共に図５に示される屋根１０１と外壁１０２とを有する家屋１００の外壁１０２に取り付けられた固定具１０３にがいし取付金具７０を介して取り付けられて、架空状態のバインドレスがいし５０に対し、係合突部４０の位置を貫通孔５５に合せ、且つ係合突部４０のスリット４３を閉じた状態とした後、対雪カバー１を貫通孔５５の軸方向に沿って降ろす。このとき、対雪カバー１のスリット３０、３１がそれぞれ架線６０、がいし取付金具７０を挟むようにも位置調整する。よって、係合突部４０の先端部４２がバインドレスがいし５０の貫通孔５５よりも下方に突出した場合には、スリット４３が開いて、係合突部４０は先端部４２によりバインドレスがいし５０に係合し固定される。
【００３７】
以上によれば、図５に示されるように、バインドレスがいし５０が家屋１００の屋根１０１に近接して配置されて、図５の矢印に示されるように、屋根１０１から雪が落下しても、対雪カバー１で覆われているので、雪がバインドレスがいし５０に直接には当たらず、しかも、対雪カバー１に落ちた雪は、図５の白抜き矢印に示されるように、曲面状部２０、２１を滑り落ちるので、対雪カバー１上に積もることも防止される。
【符号の説明】
【００３８】
１  対雪カバー（バインドレスがいし用対雪カバー）
１０  稜線部
２０  曲面状部
２１  曲面状部
３０  スリット
３１  スリット
４０  係合突部
４１  軸棒
４２  先端部
４３  スリット
５０  バインドレスがいし
５５  貫通孔
６０  架線
７０  がいし取付金具
１００  家屋
１０１  屋根
１０２  外壁
【図１】
2017034778.tif 000003
【図２】
2017034778.tif 000004
【図３】
2017034778.tif 000005
【図４】
2017034778.tif 000006
【図５】
2017034778.tif 000007